(57)【要約】【課題】一般家庭や事務所等で使用される扇風機において、転倒時の羽根の破損、破損した羽根の飛散および羽根への物の巻き込み防止を目的とする。【解決手段】制御装置２はモーター１０３の回転を制御する速度調整部１１０と、モーター１０３の回転を止めるモーター停止部１１１と、傾きを検出する傾斜検知部３を備えた構成にしたことにより、扇風機が傾いた時にモーター１０３にブレーキをかけることにより、転倒してガードが床面に接触する前にモーターと羽根の回転を停止することができる扇風機を得られる。【選択図】図２
2013189895.tif 000002
【特許請求の範囲】
【請求項１】
送風用の羽根と、前記羽根を回転させるためのモーターと、前記羽根を取り囲むように設けられ、前記羽根に物が触れるのを防止するためのガードと、前記モーターの回転を制御するための制御装置と、前記制御装置は扇風機の傾きを検出する傾斜検知部を有する扇風機において、前記制御装置は、運転中において、扇風機の傾きが一定角度以上になったことを前記傾斜検知部が検知したことに応答して、前記羽根を直ちに停止させるために前記モーターへの通電を遮断すると共に前記モーターにブレーキをかけ、急速に前記羽根の回転を急速に停止し、羽根の回転が停止した後は即時ブレーキを解除することを特徴とする扇風機。
【請求項２】
送風用の羽根と、前記羽根を回転させるためのモーターと、前記羽根を取り囲むように設けられ、前記羽根に物が触れるのを防止するためのガードと、前記モーターの回転を制御するための制御装置と、前記制御装置は扇風機に印加された衝撃を検出する衝撃検知部を有する扇風機において、前記制御装置は、運転中において、扇風機に一定以上の衝撃が加わったことを前記衝撃検知部が検知したことに応答して、前記羽根を直ちに停止させるために前記モーターへの通電を遮断すると共に前記モーターにブレーキをかけ、急速に前記羽根の回転を急速に停止し、羽根の回転が停止した後は即時ブレーキを解除することを特徴とする扇風機。
【請求項３】
前記制御装置はブレーキをかけて羽根の回転を停止した後は、運転を再開しないようにした請求項１もしくは請求項２記載の扇風機。
【請求項４】
前記制御装置はブレーキをかけて羽根の回転を停止した後は、スイッチを押されても運転を開始しないようにした請求項１〜３記載の扇風機。
【請求項５】
扇風機が停止中であっても前記制御装置は傾斜検出部により検出した扇風機の傾斜角度が一定以上であれば、スイッチを押されても運転を開始しないようにした請求項１記載の扇風機。
【請求項６】
扇風機が停止中であっても前記制御装置は衝撃検出部により過去に一定以上の衝撃を検出していれば、スイッチを押されても運転を開始しないようにした請求項２記載の扇風機。
【発明の詳細な説明】
【技術分野】
【０００１】
本発明は、一般家庭や事務所等で使用される扇風機に関するものである。
【背景技術】
【０００２】
従来、安全性を高めた扇風機として、扇風機の羽根に物が触れるのを防止するためのガードに人体が触れると羽根の回転を停止するものが知られている（例えば、文献１参照）。
【０００３】
以下、その扇風機について図３、４を参照しながら説明する。
【０００４】
図４、５において、扇風機は、ベース１０１と、支柱１０２と、モーター１０３と、送風用の羽根１０４と、羽根１０４に物が触れるのを防止するためのガード１０５で構成されている。
【０００５】
ベース１０１の上面の正面側には、扇風機の運転するために操作されるキー等で構成された操作部１０６および運転状態を表示する表示部１０７が配置されている。ベース１０１内には、マイクロコンピュータ１０８等で構成された制御装置１０９が内蔵されており、ユーザによる操作部１０６の操作に基づいて、制御装置１０９が、扇風機の運転を制御する。
【０００６】
制御装置１０９は、前記操作部１０６と、前記表示部１０７と、モーター１０３の回転を制御する速度調整部１１０と、モーター１０３の回転を止めるモーター停止部１１１と、接触検知部１１２とで構成され、接触検知部１１２は、ガード１０５が電気的に接続されている。
【０００７】
上記構成において、ベース１０１に配置された操作部１０６を操作することにより扇風機の運転開始が指示されると、この信号がマイクロコンピュータ１０８に入力され、マイクロコンピュータ１０８は速度調整部１１０を介して、モーター１０３に交流電圧を印加し、モーター１０３の軸に固定された羽根１０４を回転させることにより、送風する。
【０００８】
一方、運転中に操作部１０６を操作することにより扇風機の運転停止が指示されると、マイクロコンピュータ１０８は速度調整部１１０を介してのモーター１０３への通電を止める。通電が停止された後も、モーター１０３および羽根１０４はしばらくの間、惰性で回転し続ける。
【０００９】
運転中にガード１０５に人体等が接触すると、この信号が接触検知部１１２を介してマイクロコンピュータ１０８に入力され、マイクロコンピュータ１０８は、速度調整部１１０からモーター１０３への交流電圧の供給を停止するとともに、モーター停止部１１１を介してモーター１０３に直流電圧を印加し、モーター１０３に電磁ブレーキをかけることにより、モーター１０３と羽根１０４の回転を急速に停止させる。
【先行技術文献】
【特許文献】
【００１０】
【特許文献１】特開２０１０−２０９７９２号公報
【発明の概要】
【発明が解決しようとする課題】
【００１１】
このような従来の扇風機では、ガード以外の部分に人体や物があたっても検出することがでず、また、地震等でガードに何も接触せずに倒れた際はガードが床に接触してからモーターにブレーキをかけるために、倒れてからわずかの間ではあるがモーターと羽根が回転しており、倒れたとき突起物があった場合には、ガードの線材の間からガードの中に突起物が入って羽根が破損し、まだ回転している時には破損した羽根が飛散する恐れあるという課題を有していた。
【００１２】
また、転倒したガードの下や側に髪の毛等の紐状の細長いものがあった場合には、回転している羽根に巻き込まれてしまう恐れがあるという課題を有していた。
【００１３】
また、本来であれば羽根が自由に回転することにより、複数枚ある羽根の間に突起物が入ることにより、破損する可能性が減少するが、転倒時にモーターにブレーキがかかっている状態では、羽根が自由に回転しないため、羽根が破損する可能性が高まるという課題を有していた。
【００１４】
そこで本発明は、このような従来の課題を解決するものであり、転倒してガードが床面に接触する前にモーターと羽根の回転を停止する扇風機を提供することを目的としている。
【課題を解決するための手段】
【００１５】
そして、この目的を達成するために、本発明の扇風機は送風用の羽根と、前記羽根を回転させるためのモーターと、前記羽根を取り囲むように設けられ、前記羽根に物が触れるのを防止するためのガードと、前記モーターの回転を制御するための制御装置と、前記制御装置は扇風機の傾きを検出する傾斜検知部を備え、前記制御装置は運転中において、扇風機の傾きが一定角度以上になったことを前記傾斜検知部が検知したことに応答して、前記羽根を直ちに停止させるために前記モーターへの通電を遮断すると共に前記モーターにブレーキをかけ、羽根の回転が停止した後は即時ブレーキを解除する構成を有する。
【００１６】
これにより、転倒してガードが床に接触する前に羽根の回転を急速に停止することができ、停止後は羽根がフリーになる扇風機を提供するという所期の目的を達成できる。
【発明の効果】
【００１７】
本発明によれば、送風用の羽根と、前記羽根を回転させるためのモーターと、前記羽根を取り囲むように設けられ、前記羽根に物が触れるのを防止するためのガードと、前記モーターの回転を制御するための制御装置と、前記制御装置は扇風機の傾きを検出する傾斜検知部を備え、前記制御装置は運転中において、扇風機の傾きが一定角度以上になったことを前記傾斜検知部が検知したことに応答して、前記羽根を直ちに停止させるために前記モーターへの通電を遮断すると共に前記モーターにブレーキをかける構成にしたことにより、転倒してガードが床に接触する前に羽根の回転を急速に停止することができるという効果を得ることができる。
【図面の簡単な説明】
【００１８】
【図１】本発明の実施の形態１から６の扇風機の外観図
【図２】本発明の実施の形態１、５の回路ブロック図
【図３】本発明の実施の形態２、３、４、６の回路ブロック図
【図４】従来の扇風機の側面図
【図５】従来の扇風機の回路ブロック図
【発明を実施するための形態】
【００１９】
本発明の請求項１記載の発明は、送風用の羽根と、前記羽根を回転させるためのモーターと、前記羽根を取り囲むように設けられ、前記羽根に物が触れるのを防止するためのガードと、前記モーターの回転を制御するための制御装置と、前記制御装置は扇風機の傾きを検出する傾斜検知部を備え、前記制御装置は運転中において、扇風機の傾きが一定角度以上になったことを前記傾斜検知部が検知したことに応答して、前記羽根を直ちに停止させるために前記モーターへの通電を遮断すると共に前記モーターにブレーキをかける構成を有する。これにより、転倒してガードが床に接触する前に羽根の回転を急速に停止することができ、ガードが床に接触する際には羽根が自由に回転できるという効果を奏する。
【００２０】
また、前記制御装置は扇風機に印加された衝撃を検出する衝撃検知部を有する扇風機において、前記制御装置は、運転中において、扇風機に一定以上の衝撃が加わったことを前記衝撃検知部が検知したことに応答して、前記羽根を直ちに停止させるために前記モーターへの通電を遮断すると共に前記モーターにブレーキをかける構成を有する。これにより、これにより、転倒してガードが床に接触する前に羽根の回転を急速に停止することができ、ガードが床に接触する際には羽根が自由に回転できるという効果を奏する。
【００２１】
また、前記制御装置はブレーキをかけて羽根の回転を停止した後は、運転を再開しないようにするという構成を有する。これにより、転倒後にモーターが再度回転することによる破損した羽根の飛散や羽根への巻き込みが防止できるという効果を奏する。
【００２２】
また、前記制御装置はブレーキをかけて羽根の回転を停止した後は、スイッチを押されても運転を開始しないようにするという構成を有する。これにより、転倒後にスイッチに物が当たって勝手に運転を開始することを防止できるという効果を奏する。
【００２３】
また、扇風機が停止中であっても前記制御装置は傾斜検出部により検出した扇風機の傾斜角度が一定以上であれば、スイッチを押されても運転を開始しないようにするという構成を有する。これにより、これにより、転倒後にスイッチに物が当たって勝手に運転を開始することを防止でき、また倒した状態で扇風機を運転するという誤った使用を防止できるという効果を奏する。
【００２４】
また、扇風機が停止中であっても前記制御装置は衝撃検出部により過去に一定以上の衝撃を検出していれば、スイッチを押されても運転を開始しないようにするという構成を有する。これにより、地震等によりスイッチ部分に落ちてきたものが当たって勝手に運転を開始することを防止できるという効果を奏する。
【００２５】
以下、本発明の実施の形態について図面を参照しながら説明する。
【００２６】
（実施の形態１）
図１に示すように、扇風機は、ベース１０１と、支柱１０２と、モーター１０３と、送風用の羽根１０４と、羽根１０４に物が触れるのを防止するためのガード１０５で構成されている。
【００２７】
ベース１０１の上面の正面側には、扇風機の運転するために操作されるキー等で構成された操作部１０６および運転状態を表示する表示部１０７が配置されている。ベース１０１内には、マイクロコンピュータ１等で構成された制御装置２が内蔵されており、ユーザによる操作部１０６の操作に基づいて、制御装置２が、扇風機の運転を制御する。
【００２８】
図２に示すように、制御装置２は、前記操作部１０６と、前記表示部１０７と、モーター１０３の回転を制御する速度調整部１１０と、モーター１０３の回転を止めるモーター停止部１１１と、傾きを検出する傾斜検知部３と、これらの部分に供給する低電圧電源を発生する電源部４とで構成されている。
【００２９】
上記構成において、ベース１０１に配置された操作部１０６を操作することにより扇風機の運転開始が指示されると、この信号がマイクロコンピュータ１に入力され、マイクロコンピュータ１は速度調整部１１０を介して、モーター１０３に交流電圧を印加し、モーター１０３の軸に固定された羽根１０４を回転させることにより、送風する。
【００３０】
一方、運転中に操作部１０６を操作することにより扇風機の運転停止が指示されると、マイクロコンピュータ１は速度調整部１１０を介してのモーター１０３への通電を止める。通電が停止された後も、モーター１０３および羽根１０４はしばらくの間、惰性で回転し続ける。
【００３１】
傾斜検知部３から傾斜角度に対応する信号がマイクロコンピュータ１に入力されており、扇風機の運転中に地震等で扇風機が一定以上、たとえば扇風機の転倒角以上傾いた場合には、マイクロコンピュータ１は速度調整部１１０をＯＦＦするとともに、モーター停止部１１１をＯＮしてモーター１０３に直流電圧を印加し、モーター１０３に電磁ブレーキをかけることにより、モーター１０３と羽根１０４の回転を急速に停止させる。
【００３２】
マイクロコンピュータ１は羽根１０４の停止後、すぐにモーター停止部１１１をＯＦＦしてモーター１０３の電磁ブレーキを解除する。
【００３３】
以上のように、扇風機が傾いたことを検出しモーターにブレーキをかけることにより、倒れてガードが床に接触する前に羽根の回転を停止でき、床上に突起物があり、突起物で羽根が破損しても羽根が止まっているので、破損した羽根が飛散することを防止できる。また、転倒したガードの下や側に髪の毛等の紐状の細長いものがあった場合でも、羽根は止まっているので、羽根に巻き込まれてしまうことを防止できる。
【００３４】
また、羽根が停止後はブレーキを解除することにより、羽根が自由に回転することができるので、複数枚ある羽根の間に突起物が入ることで破損する可能性を減少させることができる。
【００３５】
（実施の形態２）
図３は、本実施の形態２における回路構成図を示す。図３において図２と同様の構成要素については同一の符号を付し、その詳細な説明は省略する。
【００３６】
図３において、制御装置２は扇風機に印加される衝撃を検出する衝撃検出部としての加速度センサー５を有し、その信号はマイクロコンピュータ１に入力されている。
【００３７】
上記構成において、扇風機の運転中に地震等で扇風機に一定以上、たとえば震度４に相当する加速度が印加された場合には、マイクロコンピュータ１は速度調整部１１０をＯＦＦするとともに、モーター停止部１１１をＯＮしてモーター１０３に直流電圧を印加し、モーター１０３に電磁ブレーキをかけることにより、モーター１０３と羽根１０４の回転を急速に停止させる。
【００３８】
以上のように、扇風機に衝撃が印加されたことを検出し、衝撃により扇風機が転倒する前にモーターにブレーキをかけることにより、倒れてガードが床に接触する前に羽根の回転を停止でき、床上に突起物があり、突起物で羽根が破損しても羽根が止まっているので、破損した羽根が飛散することを防止できる。また、転倒したガードの下や側に髪の毛等の紐状の細長いものがあった場合でも、羽根は止まっているので、羽根に巻き込まれてしまうことを防止できる。
【００３９】
（実施の形態３）
図２、および図３においてマイクロコンピュータ１は転倒角度以上に傾いた場合、もしくは一定以上の衝撃が印加された場合には、モーター停止部１１１をＯＮしてモーター１０３に電磁ブレーキをかけ、モーター１０３と羽根１０４の回転を急速に停止せ、停止後はモーター停止部１１１をＯＦＦしてモーター１０３の電磁ブレーキを解除する。
【００４０】
モーター１０３の電磁ブレーキを解除した後は、モーター１０３への通電停止を維持し、扇風機の運転は再開しない。
【００４１】
以上のように、転倒後にモーターが再度回転することによって破損した羽根の飛散や羽根への巻き込みが防止できる。
【００４２】
（実施の形態４）
図２、および図３においてマイクロコンピュータ１は転倒角度以上に傾いた場合、もしくは一定以上の衝撃が印加された場合には、モーター停止部１１１をＯＮしてモーター１０３に電磁ブレーキをかけ、モーター１０３と羽根１０４の回転を急速に停止せ、停止後はモーター停止部１１１をＯＦＦしてモーター１０３の電磁ブレーキを解除する。
【００４３】
モーター１０３の電磁ブレーキを解除した後は、操作部１０６が操作されても、マイクロコンピュータ１はこの操作部１０６からの信号を無視し、モーター１０３への通電停止を維持する。
【００４４】
以上のように、転倒後にスイッチに物が当たって勝手に運転を開始することによる破損した羽根の飛散や羽根への巻き込みが防止できる。
【００４５】
（実施の形態５）
図２において、マイクロコンピュータ１は扇風機の停止中であっても傾斜検知部３から常に角度信号を入力し、傾斜角度が転倒角度以上であれば、操作部１０６が操作されてもこの操作部１０６からの信号を無視し、モーター１０３への通電停止を維持する。
【００４６】
以上のように、運転停止中であっても転倒角度以上傾いていれば、運転停止状態を継続することにより、転倒後にスイッチに物が当たって勝手に運転を開始し、羽根が周囲のものを巻き込むことを防止でき、また倒した状態で扇風機を運転するという誤った使用を防止できる。
【００４７】
（実施の形態６）
図３において、マイクロコンピュータ１は扇風機の停止中であっても加速度センサー５から常に信号を入力し、一度、一定以上の加速度が検出された場合には、その後、操作部１０６が操作されてもこの操作部１０６からの信号を無視し、モーター１０３への通電停止を維持する。
【００４８】
以上のように、一定以上の衝撃が加わった場合には運転停止状態を継続することにより、地震等によりスイッチ部分に落ちてきたものが当たって勝手に運転を開始することを防止できる。
【産業上の利用可能性】
【００４９】
本発明にかかる扇風機は、地震発生時等に扇風機が転倒するまでの間に急速に羽根を停止することを可能としたものであるので、一般家庭以外でも事務所や工場等で使用される固定されていない床置型や卓上型の扇風機でも有用である。
【符号の説明】
【００５０】
２  制御装置
３  傾斜検知部
１０３  モーター
【図１】
2013189895.tif 000003
【図２】
2013189895.tif 000004
【図３】
2013189895.tif 000005
【図４】
2013189895.tif 000006
【図５】
2013189895.tif 000007